(57)【要約】【課題】複数領域を用いない場合よりも白紙の誤判定が少ない情報処理装置を提供する。【解決手段】情報処理装置は、原稿の画像中で規定濃度を有する画素の計数値が規定数に達しない場合に、当該原稿が白紙と判定する判定手段と、上記原稿の縁に沿って設けられた複数領域のうち、上記規定濃度を有する画素が最多の領域における当該画素の数を上記計数値から除外する除外手段とを備える。【選択図】図５
2020150372.tif 000002
【特許請求の範囲】
【請求項１】
原稿の画像中で規定濃度を有する画素の計数値が規定数に達しない場合に、当該原稿が白紙と判定する判定手段と、
前記原稿の縁に沿って設けられた複数領域のうち、前記規定濃度を有する画素が最多の領域における当該画素の数を前記計数値から除外する第１除外手段と、
を備えたことを特徴とする情報処理装置。
【請求項２】
前記複数領域が、前記原稿の角部分を除いた各辺に沿って設けられた複数領域であることを特徴とする請求項１に記載の情報処理装置。
【請求項３】
前記複数領域のそれぞれが、前記辺に沿って互いに分離して設けられた複数の部分領域の集合であることを特徴とする請求項２に記載の情報処理装置。
【請求項４】
前記複数領域が、前記原稿の角部分に設けられた複数領域であることを特徴とする請求項１に記載の情報処理装置。
【請求項５】
前記第１除外手段が、前記原稿の角部分に設けられた複数領域のうち、前記規定濃度を有する画素が最多の領域における当該画素の数を前記計数値から除外するとともに、当該角部分を除いた各辺に沿って設けられた複数領域のうち、前記規定濃度を有する画素が最多の領域における当該画素の数も前記計数値から除外することを特徴とする請求項１に記載の情報処理装置。
【請求項６】
前記原稿の縁に沿った、前記複数領域の幅よりも狭い縁領域について、当該原稿の画像から除外する第２除外手段を更に備えたことを特徴とする請求項１から５のいずれか１項に記載の情報処理装置。
【請求項７】
前記判定手段は、前記規定数よりも大きい別の規定数に前記計数値が達する場合には、前記原稿が非白紙と判定することを特徴とする請求項１から６のいずれか１項に記載の情報処理装置。
【請求項８】
情報処理装置に組み込まれて当該情報処理装置を、
原稿の画像中で規定濃度を有する画素の計数値が規定数に達しない場合に、当該原稿が白紙と判定する判定手段と、
前記原稿の縁に沿って設けられた複数領域のうち、前記規定濃度を有する画素が最多の領域における当該画素の数を前記計数値から除外する第１除外手段と、として動作させることを特徴とする情報処理プログラム。
【発明の詳細な説明】
【技術分野】
【０００１】
本発明は、情報処理装置および情報処理プログラムに関する。
【背景技術】
【０００２】
従来、パンチ穴の開いた原稿について白紙であるか否かを判別する技術が知られている。
【０００３】
例えば特許文献１には、計数値が予め設定された白紙判定閾値以上か否かで白紙検知する装置において、パターンマッチングの結果、特定パターンの一例であるパンチ穴がある場合は、原稿の全体から除去範囲を除いた部分の画像から、所定濃度範囲の画素の数を計数する技術が開示されている。
【０００４】
また、例えば特許文献２には、画素濃度データから所定の濃度範囲の画素数の総和を算出した値が所定のしきい値より小さいか否かにより白紙であるか否かを判断する装置において、原稿の縁部分を画素濃度カウント対象領域から除外する技術が開示されている。
【先行技術文献】
【特許文献】
【０００５】
【特許文献１】特許第５６０５１３９号公報
【特許文献２】特開２００３−１９８７７７号公報
【発明の概要】
【発明が解決しようとする課題】
【０００６】
本発明は、複数領域を用いない場合よりも白紙の誤判定が少ない情報処理装置を提供することを目的とする。
【課題を解決するための手段】
【０００７】
請求項１に係る情報処理装置は、
原稿の画像中で規定濃度を有する画素の計数値が規定数に達しない場合に、当該原稿が白紙と判定する判定手段と、
上記原稿の縁に沿って設けられた複数領域のうち、上記規定濃度を有する画素が最多の領域における当該画素の数を上記計数値から除外する第１除外手段と、
を備えたことを特徴とする。
【０００８】
請求項２に係る情報処理装置は、請求項１の情報処理装置において、
上記複数領域が、上記原稿の角部分を除いた各辺に沿って設けられた複数領域であることを特徴とする。
請求項３に係る情報処理装置は、請求項２の情報処理装置
上記複数領域のそれぞれが、上記辺に沿って互いに分離して設けられた複数の部分領域の集合であることを特徴とする。
請求項４に係る情報処理装置は、請求項１の情報処理装置において、
上記複数領域が、上記原稿の角部分に設けられた複数領域であることを特徴とする。
【０００９】
請求項５に係る情報処理装置は、請求項１の情報処理装置において、
上記第１除外手段が、上記原稿の角部分に設けられた複数領域のうち、上記規定濃度を有する画素が最多の領域における当該画素の数を上記計数値から除外するとともに、当該角部分を除いた各辺に沿って設けられた複数領域のうち、上記規定濃度を有する画素が最多の領域における当該画素の数も上記計数値から除外することを特徴とする。
【００１０】
請求項６に係る情報処理装置は、請求項１から５の情報処理装置において、
上記原稿の縁に沿った、上記複数領域の幅よりも狭い縁領域について、当該原稿の画像から除外する第２除外手段を更に備えたことを特徴とする。
請求項７に係る情報処理装置は、請求項１から６の情報処理装置において、
上記判定手段は、上記規定数よりも大きい別の規定数に上記計数値が達する場合には、上記原稿が非白紙と判定することを特徴とする。
【００１１】
請求項８に係る情報処理プログラムは、
情報処理装置に組み込まれて当該情報処理装置を、
原稿の画像中で規定濃度を有する画素の計数値が規定数に達しない場合に、当該原稿が白紙と判定する判定手段と、
上記原稿の縁に沿って設けられた複数領域のうち、上記規定濃度を有する画素が最多の領域における当該画素の数を上記計数値から除外する第１除外手段と、として動作させることを特徴とする。
【発明の効果】
【００１２】
請求項１に係る情報処理装置および請求項８に係る情報処理プログラムによれば、複数領域を用いない場合に較べ白紙の誤判定が少ない。
請求項２に係る情報処理装置によれば、パンチ穴が有っても白紙検知が可能である。
請求項３に係る情報処理装置によれば、部分領域の集合でない場合に較べてパンチ穴の箇所を限定できる。
請求項４に係る情報処理装置によれば、ドッグイヤーが有っても白紙検知が可能である。
請求項５に係る情報処理装置によれば、パンチ穴およびドッグイヤーが有っても白紙検知が可能である。
請求項６に係る情報処理装置によれば、原稿の縁に沿った黒すじが有っても白紙検知が可能である。
請求項７に係る情報処理装置によれば、第１除外手段の処理を省略することができる。
【図面の簡単な説明】
【００１３】
【図１】本発明の一実施形態が組み込まれた複合機の外観図である。
【図２】図１に外観を示した複合機のコピー機能に関する処理内容を示したブロック図である。
【図３】白紙除去装置における処理対象となる画像の例を示す図である。
【図４】白紙除去装置における処理機能を表した機能ブロック図である。
【図５】白紙除去装置における処理手順を表したフローチャートである。
【図６】パンチ穴領域の例を示す図である。
【図７】ドッグイヤー領域の例を示す図である。
【図８】パンチ穴とドッグイヤーとの双方が生じている画像例を示す図である。
【図９】図８の画像例に対する図５のステップＳ１１２における処理を示す図である。
【図１０】図８の画像例に対する図５のステップＳ１１６における処理を示す図である。
【図１１】パンチ穴と１行の文字列が生じている画像例を示す図である。
【図１２】図１１の画像例に対する図５のステップＳ１１２における処理を示す図である。
【図１３】図１１の画像例に対する図５のステップＳ１１６における処理を示す図である。
【発明を実施するための形態】
【００１４】
本発明の実施形態について、以下図面を参照して説明する。
図１は、本発明の一実施形態が組み込まれた複合機の外観図である。
【００１５】
この複合機１は、スキャナ１０とプリンタ２０を備えている。スキャナ１０では、原稿に記録されている画像が読み取られる。この読み取りで得られた画像データは、必要に応じて、不図示のパーソナルコンピュータ（以下、「ＰＣ」と略記する。）等に向けて送信される。また、この複合機１には、必要に応じて、不図示のＰＣ等から送信されてきた画像データが入力される。
【００１６】
この複合機１には、プリント前の用紙を収容しておく用紙トレイ２１が備えられている。プリンタ２０では、用紙トレイ２１から取り出された用紙上に、画像データに基づく画像がプリントされ、画像がプリントされた用紙が用紙台２２上に送り出される。
【００１７】
この複合機１はプリンタ機能を備えている。プリンタ機能が実行される場合は、ＰＣ等から入力された画像データに基づく画像がプリンタ２０によりプリント出力される。
【００１８】
また、複合機１はコピー機能を備えている。コピー機能が実行される場合は、原稿上の画像がスキャナ１０で読み取られる。そして、その読み取られた画像が電子化されて画像データとなり、その画像データに基づく画像がプリンタ２０によりプリント出力される。
【００１９】
この複合機１にはさらに、ファクシミリ送受信機能などの他の機能も備えられている。
この複合機１には、ユーザインタフェースとして用いられるタッチパネル３０が備えられている。このタッチパネル３０にはユーザ向けの各種の情報が表示される。また、このタッチパネル３０の操作により、ユーザによる各種の指示が複合機１に入力される。
【００２０】
図２は、図１に外観を示した複合機の内部的な処理機能を示したブロック図である。
この複合機１は、図１を参照して説明したスキャナ１０およびプリンタ２０に加え、さらに白紙除去装置５０を備えている。スキャナ１０で得られた画像データは、白紙除去装置５０で白紙の画像が除かれてから画像データとして保存される。このように画像が画像データとして保存されることを以下では画像の電子化と称する。
白紙の画像が除かれた画像データは、例えば上述したＰＣ等へ送信される。また、例えばコピー機能の場合には、白紙除去装置５０で除かれずに電子化された画像の画像データがプリンタ２０に送られてプリント出力される。
【００２１】
この白紙除去装置５０には、コンピュータとしてのハードウェアとそのハードウェア上で実行されるソフトウェアとが含まれている。この白紙除去装置５０は、本発明の情報処理装置の一実施形態に相当する。また、コンピュータを白紙除去装置５０として機能させるソフトウェアが、本発明の情報処理プログラムの一実施形態に相当する。
図３は、白紙除去装置における処理対象となる画像の例を示す図である。
【００２２】
図３には、原稿の辺部分６５にパンチ穴７１が開いているパンチ穴画像６１と、原稿の角部分が折れたいわゆるドッグイヤーによって原稿の角の線７２が現れているドッグイヤー画像６２と、原稿の縁に黒すじ７３が生じている黒すじ画像６３と、原稿の上辺に、例えば文章の最終行などといった１行の文字列７４が記載された１行画像６４が示されている。黒すじ画像６３中に生じている黒すじ７３は、原稿の縁の影によって生じる場合もあるし、縁が汚れて生じる場合もある。
【００２３】
これらの画像のうち、パンチ穴画像６１とドッグイヤー画像６２と黒すじ画像６３については、白紙除去装置５０によって白紙として除去されることが望ましい画像である。一方、１行画像６４については、白紙除去装置５０によって非白紙としてプリント対象に残されることが望ましい画像である。
【００２４】
これらの画像６１，……，６４は、従来の白紙除去の処理で誤判定が生じやすい画像であるが、本実施形態の白紙除去装置５０では誤判定が少ない。白紙除去装置５０における白紙判定の処理機能や手順について、以下詳細に説明する。
図４は、白紙除去装置における処理機能を表した機能ブロック図である。
【００２５】
白紙除去装置５０は、受付部５１と枠消し部５２と黒点カウント部５３と白紙判定部５４とパンチ穴領域抽出部５５とドッグイヤー領域抽出部５６とを備えている。
【００２６】
受付部５１は、原稿上の画像がスキャナ１０で読み取られて得られた画像データの入力を受け付け、画像データを２値化するものである。この２値化により、画像上の各点のうち規定の濃度を有する点は黒点となり、規定の濃度に満たない点は白点となる。
【００２７】
枠消し部５２は、画像データが表した画像から、原稿の縁に相当する部分を除去するものである。この枠消し部５２が、本発明にいう第２除外手段の一例に相当する。
黒点カウント部５３は、画像中に存在する黒点の数をカウントするものである。
【００２８】
白紙判定部５４は、黒点の数を規定の閾値と比較することで、白紙や非白紙を判定するものである。この白紙判定部５４が、本発明にいう判定手段の一例に相当する。
パンチ穴領域抽出部５５は、原稿の辺の部分に予め決められている、パンチ穴が存在し得る領域の画像部分を画像データから抽出するものである。
ドッグイヤー領域抽出部５６は、原稿の隅の部分に予め決められている、ドッグイヤーが生じ得る領域の画像部分を画像データから抽出するものである。
図５は、白紙除去装置における処理手順を表したフローチャートである。
図５のフローチャートに関する以下の説明に際しては、図番を断らずに図４などを適宜参照する。
図５に示す処理手順が開始されると、ステップＳ１０２で、受付部５１によって原稿１枚分の画像（即ち１頁分の画像）が受け付けられて２値化される。
【００２９】
次に、ステップＳ１０４で枠消し部５２により、原稿の縁に相当する部分が画像から除去される。具体的には、原稿の４辺それぞれについて、辺からＭｍｍ（Ｍ＝１，２など）分の領域が画像から除去される。なお、原稿の辺の位置については、画像処理によって決定されてもよく、入力や検出で得られた原稿サイズから算出されてもよく、スキャナ１０に設定された読み取り範囲から推定されてもよい。以下では、位置の求め方は特に限定せず、原稿の辺の位置が分かっているという前提で説明を行う。原稿の縁に相当する部分が画像から除去されることにより、例えば図３に示す黒すじ画像６３に生じている黒すじ７３の部分が画像から取り除かれることになる。
【００３０】
次に、ステップＳ１０６では、縁が除去された画像全体について黒点カウント部５３により黒点数がカウントされる。このようにカウントされて得られた黒点数を以下では全体黒点数と称する。
【００３１】
次に、ステップＳ１０８で白紙判定部５４により、全体黒点数と白紙閾値とが比較されて、白紙の画像であるか否かが判定される。ここで白紙閾値は、予め決められた閾値であって、ゴミなどによる極めて少数の黒点のみが生じている明らかな白紙の画像を白紙と判定するための閾値である。白紙判定部５４は、ステップＳ１０８で全体黒点数が白紙閾値以下であった場合には、ステップＳ１２２で白紙と判定する。白紙判定部５４により白紙と判定された画像については電子化から除外される。
【００３２】
処理手順は、その後、ステップＳ１２６に進み、画像データ中の最終頁に相当する画像であれば処理手順が終了する。一方、最終頁より前の頁に相当する画像であれば、ステップＳ１０２に戻って次の１頁分の画像が受け付けられる。
【００３３】
上記ステップＳ１０８で全体黒点数が白紙閾値より多かった場合には、ステップＳ１１０に進み、パンチ穴検知モードであるか否かが確認される。ここでパンチ穴検知モードは、ユーザがスキャナ１０で原稿の画像を読み取らせる際に通常の白紙除去モードと択一的に選択可能なモードである。ユーザは、原稿として例えばパンチ穴の空いた用紙を用いる場合などにパンチ穴検知モードを選択し、原稿として通常の用紙を用いる場合などには通常の白紙除去モードを選択する。パンチ穴検知モードおよび通常の白紙除去モードの選択は、例えばタッチパネル３０の操作によって実行される。
【００３４】
ステップＳ１１０で、パンチ穴検知モードではなく通常の白紙除去モードであった場合には、ステップＳ１２４で白紙判定部５４が非白紙と判定する。つまり、通常の白紙除去モードでは、全体黒点数と白紙閾値との単純比較のみで白紙か否かが判定されることになる。
【００３５】
白紙判定部５４により非白紙と判定された画像は、画像データから除かれず電子化されることになる。処理手順は、その後、ステップＳ１２６に進み、上記同様に、最終頁であれば処理手順が終了し、最終頁より前の頁であればステップＳ１０２に戻って次の１頁分の画像が受け付けられる。
【００３６】
上記ステップＳ１１０で、パンチ穴検知モードであった場合には、ステップＳ１１２で白紙判定部５４により、全体黒点数と白紙閾値のＮ倍（Ｎ＝１００，２００など）とが比較され、明らかな非白紙の画像であるか否かが判定される。ステップＳ１１０で全体黒点数が白紙閾値のＮ倍以上であった場合には、白紙判定部５４はステップＳ１２４で非白紙と判定し、その後、上記同様の手順が実行される。このように、明らかな非白紙の画像がステップＳ１１０およびステップＳ１２４で非白紙と判定されることにより、後述するパンチ穴領域やドッグイヤー領域を用いた処理が省略されて処理の効率がよい。
【００３７】
ステップＳ１１０で全体黒点数が白紙閾値のＮ倍未満であった場合には、明らかな白紙でも、明らかな非白紙でもないので、図３に示すパンチ穴画像６１やドッグイヤー画像６２や１行画像６４である可能性がある。そこで、ステップＳ１１２でパンチ穴領域抽出部５５により画像からパンチ穴領域における画像部分が抽出される。ここでパンチ穴領域は、原稿の角部分を除いた４辺のそれぞれに沿って予め定められた領域である。
図６は、パンチ穴領域の例を示す図である。
【００３８】
パンチ穴領域８１ａ，８１ｂ，８２ａ，８２ｂ，８３ａ，８３ｂ，８４ａ，８４ｂは、原稿の４辺９１，９２，９３，９４それぞれに設けられた４つのパンチ穴候補箇所８１，８２，８３，８４に２つずつ設けられている。１つのパンチ穴候補箇所８１，……，８４に含まれている２つのパンチ穴領域８１ａ，８１ｂ；８２ａ，８２ｂ；８３ａ，８３ｂ；８４ａ，８４ｂは一組として用いられる。この一組のパンチ穴領域８１ａ，８１ｂ；……；８４ａ，８４ｂは、原稿の角部分を除いた辺９１，９２，９３，９４の央部に設けられるとともに、辺９１，９２，９３，９４に沿って並べて設けられている。
【００３９】
４つのパンチ穴候補箇所８１，……，８４に設けられた４組のパンチ穴領域８１ａ，８１ｂ；……；８４ａ，８４ｂが、本発明にいう「複数領域」の一例に相当する。つまり、一組のパンチ穴領域が「複数領域」のうちの１つの領域に相当する。そして、一組を成す２つのパンチ穴領域が、本発明にいう「複数の部分領域」の一例に相当する。
【００４０】
図５のステップＳ１１２でパンチ穴領域抽出部５５により抽出される画像部分は、これらのパンチ穴領域８１ａ，８１ｂ；……；８４ａ，８４ｂの画像部分である。そして、ステップＳ１１２では黒点カウント部５３により、抽出された各画像部分の黒点数がカウントされ、４つのパンチ穴候補箇所８１，……，８４それぞれの黒点数のうち最大の黒点数をパンチ穴黒点数とする。
【００４１】
このようにパンチ穴黒点数が得られると、ステップＳ１１４で白紙判定部５４により、全体黒点数とパンチ穴黒点数との差が白紙閾値と比較される。即ち、白紙判定のカウント数から、パンチ穴候補箇所８１，……，８４における最大の黒点数が除外されて白紙判定が行われることと同義である。この結果、図３に示すパンチ穴画像６１の場合、図６に示すように、図の左方に位置する辺９１のパンチ穴候補箇所８１で黒点数が最大となり、パンチ穴７１を含んだパンチ穴領域８１ａ，８１ｂにおける黒点数が白紙判定のカウント数から除去される。
パンチ穴領域抽出部５５と黒点カウント部５３と白紙判定部５４とを併せたものが、本発明にいう第１除外手段の一例に相当する。
【００４２】
ステップＳ１１４で全体黒点数とパンチ穴黒点数との差が白紙閾値以下であれば、白紙判定部５４がステップＳ１２２で白紙と判定する。処理手順は、その後、ステップＳ１２６に進み、上記同様に、最終頁であれば処理手順が終了し、最終頁より前の頁であればステップＳ１０２に戻って次の１頁分の画像が受け付けられる。
【００４３】
ステップＳ１１４で全体黒点数とパンチ穴黒点数との差が白紙閾値よりも大きいと、パンチ穴以外の黒点が存在すると考えられる。そこで、ステップＳ１１８で、ドッグイヤー領域抽出部５６により画像からドッグイヤー領域における画像部分が抽出される。ここでドッグイヤー領域は、原稿の４隅のそれぞれに予め定められた領域である。
図７は、ドッグイヤー領域の例を示す図である。
【００４４】
ドッグイヤー領域８５，８６，８７，８８は、原稿の４隅それぞれに設けられている。ドッグイヤーに伴う原稿の角の線７２が現れる場合には、４つのドッグイヤー領域８５，８６，８７，８８のうちのいずれかに現れると期待される。これらのドッグイヤー領域８５，８６，８７，８８も、本発明にいう「複数領域」の一例に相当するが、各ドッグイヤー領域８５，８６，８７，８８は、本発明にいう「複数の部分領域」を持たない単一の領域である。
【００４５】
図５のステップＳ１１８ではドッグイヤー領域抽出部５６が、これら４つのドッグイヤー領域８５，８６，８７，８８それぞれの画像部分を抽出する。また、ステップＳ１１８では黒点カウント部５３が、各ドッグイヤー領域８５，８６，８７，８８における抽出画像部分の黒点数をカウントし、４つのドッグイヤー領域８５，８６，８７，８８それぞれにおける黒点数のうち最大の黒点数をドッグイヤー黒点数とする。
【００４６】
このようにドッグイヤー黒点数が得られると、ステップＳ１１８で白紙判定部５４により、全体黒点数からパンチ穴黒点数とドッグイヤー黒点数とが引かれた残差が白紙閾値と比較される。即ち、白紙判定のカウント数から、パンチ穴候補箇所８１，……，８４における最大の黒点数と、ドッグイヤー領域８５，８６，８７，８８における最大の黒点数との双方が除去されて白紙判定が行われることと同義である。この結果、図３に示すドッグイヤー画像６２の場合、図７に示すように、図の左上に位置する隅のドッグイヤー領域８５で黒点数が最大となり、ドッグイヤーに伴う原稿の角の線７２を含んだ画像部分の黒点数が白紙判定のカウント数から除去される。
ドッグイヤー領域抽出部５６と黒点カウント部５３と白紙判定部５４とを併せたものも、本発明にいう第１除外手段の一例に相当する。
【００４７】
ステップＳ１１８で、全体黒点数からパンチ穴黒点数とドッグイヤー黒点数とが引かれた残差が白紙閾値以下であれば、白紙判定部５４がステップＳ１２２で白紙と判定し、ステップＳ１１８で残差が白紙閾値よりも大きいと、白紙判定部５４がステップＳ１２４で非白紙と判定する。
【００４８】
処理手順は、その後、ステップＳ１２６に進み、上記同様に、最終頁であれば処理手順が終了し、最終頁より前の頁であればステップＳ１０２に戻って次の１頁分の画像が受け付けられる。
【００４９】
このように、図５のフローチャートが示す処理手順によれば、図３に示すパンチ穴画像６１とドッグイヤー画像６２と黒すじ画像６３との何れもが白紙と判定されて、電子化対象から除かれることになる。以下、他の画像例における処理結果について説明する。
【００５０】
図８は、パンチ穴とドッグイヤーとの双方が生じている画像例を示す図であり、図９は、図８の画像例に対する図５のステップＳ１１２における処理を示す図であり、図１０は、図８の画像例に対する図５のステップＳ１１６における処理を示す図である。
図８には、例えば図の左上の隅にドッグイヤーが生じて角の線７２が現れるとともに、例えば図の上方の辺にパンチ穴７１が生じている画像例が示されている。
【００５１】
このような画像例が白紙除去装置５０で処理されると、図９に示すように、４つの辺９１，９２，９３，９４それぞれに設けられたパンチ穴候補箇所８１，……，８４のうち、図の上方の辺９４に設けられたパンチ穴候補箇所８４における抽出画像部分で黒点数が最大となり、図５のステップＳ１１４で、パンチ穴７１を含んだパンチ穴領域８４ａ，８４ｂの黒点数が白紙判定のカウント数から除去される。しかし、ドッグイヤーに伴う原稿の角の線７２が存在するので、全体黒点数とパンチ穴黒点数との差は白紙閾値よりも大きく、ステップＳ１１６に進む。
【００５２】
ステップＳ１１６では、図１０に示すように、４つの隅に設けられたドッグイヤー領域８５，８６，８７，８８のうち、図の左上のドッグイヤー領域８５で黒点数が最大となり、図５のステップＳ１１８で、原稿の角の線７２を含んだドッグイヤー領域８５の黒点数が白紙判定のカウント数から除去される。この結果、パンチ穴７１と原稿の角の線７２との双方における黒点数が白紙判定のカウント数から除去されて白紙と判定されることになる。
【００５３】
図１１は、パンチ穴と１行の文字列が生じている画像例を示す図であり、図１２は、図１１の画像例に対する図５のステップＳ１１２における処理を示す図であり、図１３は、図１１の画像例に対する図５のステップＳ１１６における処理を示す図である。
図１１には、例えば図の左方の辺にパンチ穴７１が生じているとともに、図の上辺に、１行の文字列７４が記載された画像例が示されている。
【００５４】
このような画像例が白紙除去装置５０で処理されると、図１２に示すように、４つの辺９１，９２，９３，９４それぞれに設けられたパンチ穴候補箇所８１，……，８４のうち、図の左方の辺９１に設けられたパンチ穴候補箇所８１における抽出画像部分で黒点数が最大となり、図５のステップＳ１１４で、パンチ穴７１を含んだパンチ穴領域８１ａ，８１ｂの黒点数が白紙判定のカウント数から除去される。これに対し、文字列７４が係る、図の上方の辺９４に設けられたパンチ穴候補箇所８４の画像部分は黒点数が最大ではないので白紙判定のカウント数から除去されない。このため、全体黒点数とパンチ穴黒点数との差は白紙閾値よりも大きく、ステップＳ１１６に進む。
【００５５】
ステップＳ１１６では、図１３に示すように、４つの隅に設けられたドッグイヤー領域８５，８６，８７，８８のうち、図の左上のドッグイヤー領域８５で黒点数が最大となり、図５のステップＳ１１８で、文字列７４のうちの文字「と」を含んだドッグイヤー領域８５の黒点数が白紙判定のカウント数から除去される。しかし、文字列７４の「いう結論に達した。」の部分の黒点数は白紙判定のカウント数に含まれるので、非白紙と判定されることになる。
このように、従来の白紙除去の処理では誤判定が生じやすい画像であっても本実施形態の白紙除去装置５０によれば誤判定が少ない。
【００５６】
なお、上記説明では、本発明にいう「複数の領域」の一例として、パンチ穴領域とドッグイヤー領域との双方を備える例が示されているが、本発明にいう「複数の領域」は、パンチ穴領域とドッグイヤー領域との一方でもよい。
【００５７】
また、本発明は、「発明が解決しようとする課題」欄に記載された課題を解決する目的で発明されたものであるが、本発明の構成は、この課題を解決しない形での他の目的への転用が妨げられるものではなく、そのように本発明の構成が転用された形態も本発明の一実施形態である。
【符号の説明】
【００５８】
１……複合機、１０……スキャナ、２０……プリンタ、５０……白紙除去装置、
５１……受付部、５２……枠消し部、５３……黒点カウント部、５４……白紙判定部、
５５……パンチ穴領域抽出部、５６……ドッグイヤー領域抽出部
【図１】
2020150372.tif 000003
【図２】
2020150372.tif 000004
【図３】
2020150372.tif 000005
【図４】
2020150372.tif 000006
【図５】
2020150372.tif 000007
【図６】
2020150372.tif 000008
【図７】
2020150372.tif 000009
【図８】
2020150372.tif 000010
【図９】
2020150372.tif 000011
【図１０】
2020150372.tif 000012
【図１１】
2020150372.tif 000013
【図１２】
2020150372.tif 000014
【図１３】
2020150372.tif 000015